(57)【要約】【課題】演出表示器の液晶アセンブリの大きさの変更およびトップサイドアセンブリの変更に対し、ランプパネルの変更を不要にすることにより仕様変更する組み替えを低価格に、しかも短時間にでき、また従来の遊技機に比較し迫力ある演出を可能にする遊技機における演出表示器の取付構造を提供する。【解決手段】前面液晶パネル７を含む液晶アセンブリを収容するトップカバー４は前面デザインパネル８より遊技者側に突出させ前面デザインパネル８の上部に一部重なった構造にしてある。また、トップサイドアセンブリ５，６は前面側から装着可能で、前面デザインパネル８より遊技者側に突出させている。この構造により仕様変更に際し、ランプパネルの形状変更を不要とし、液晶表示器の一層迫力ある演出を実現できる。【選択図】図１
2007301184.tif 000002
【特許請求の範囲】
【請求項１】
中央に遊技駆動部を収容する遊技機本体と、該遊技機本体の前面側に取り付けられる前面ドア部とからなり、
該前面ドア部はその略中央部に前記遊技駆動部を視認する前面デザインパネルが配置され、かつ前記前面ドア部の上部に演出表示器が配置され、
前記演出表示器はその中央に前面液晶パネルが、該前面液晶パネルの左右にスピーカが配置される構成の遊技機において、
前記演出表示器の中央は、前記前面デザインパネル面に対し前面側に突出するように、かつ前記前面デザインパネル面の上部に一部重なるようにトップカバー部を配設して前記トップカバー内に背面側から前記前面液晶パネルを備えた液晶アセンブリを組み込んで構成し、
前記演出表示器の中央の両側は、前記左右のスピーカをそれぞれ含む左右のトップサイドアセンブリを前面側から装着し、かつ前記前面デザインパネル面に対し前面側に突出させて固定することを特徴とする遊技機における演出表示器の取付構造。
【請求項２】
前記トップカバー部に組み込まれる液晶アセンブリの下部は、前記前面デザインパネル面と重なるトップカバー部内に収容されることを特徴とする請求項１記載の遊技機における演出表示器の取付構造。
【発明の詳細な説明】
【技術分野】
【０００１】
本発明は、スロットルマシンなどの遊技機、さらに詳しくいえば該遊技機の前面側に配置される液晶画面やスピーカなどの演出表示器の取付構造に関する。
【背景技術】
【０００２】
従来の遊技機における演出表示器の配置は前面デザインパネルとほぼ同じ奥行きに配置されるものが多数を占めていた。
そのため、例えば７インチの液晶表示器搭載筐体から仕様替えで１０．４インチの液晶表示器を搭載させようとする場合には、縦方向の寸法が大きいため、ランプパネルの形状を変更する必要があった。
【０００３】
図８は、従来の遊技機の液晶アセンブリ付近の断面図、図９は、その液晶アセンブリの脱着を説明するための図である。
筐体中央部の前面デザインパネル３８の上方に前面液晶パネル３７（その内側には液晶アセンブリの部材として液晶表示部４０および液晶制御基板４２を有する）が配置されている。前面液晶パネル３７の両サイドにはスピーカおよび演出用ＬＥＤをアセンブリ化したトップサイドアセンブリ（左）・（右）が配置されている。
前面デザインパネル３８は複数のＬＥＤ，７セグメント表示，冷陰極管といった演出用表示器が適宜配置され、ランプパネル４３に固定される。
ランプパネル４３は前面ドアのベースの役目をするコントロールカバー３３に固定される。このときの両者のクリアランスをＬとすると、トップカバー３４にはこのＬ寸法よりも小さい寸法の液晶アセンブリを取り付けなければならない。
また、このような構造において、より大きな液晶アセンブリを取り付けるにはＬ寸法を大きくするためにランプパネル４３の形状変更を行なわなければならない。
【０００４】
この種の遊技機の前面側の構成を変更するものとして遊技機の前枠全体を交換することなく表示板と電気的表示手段を容易に交換できる遊技機の構造が従来より提案されている（特許文献１）。
この提案は、前面側に、所定の表示を行うための表示用窓部を有する前面構成部材を着脱可能に装着したものである。
この表示用窓部の後側には、透明アクリル板で形成された表示板が配設され、その裏側に入賞図柄等の所定の情報がプリントされており、その大きさを変更することを想定しておらず、所定寸法以下の仕様変更しか対応することができない。すなわち、表示板に用いる各部材の変更はできても、表示板の大きさの変更に対応できるものではなかった。
【０００５】
また表示部を前面側から装着することにより変更できるものとして特許文献２が提案されている。これは大幅且つ大胆で斬新なデザイン変更が可能で、且つフロントマスクが共通化できる上パネル構造を提供することを目的とするものである。
しかしながら、特許文献２についても上パネルアセンブリを中パネルアセンブリより前面側に突出させる構成でないため、上パネルアセンブリの各部材の大きさを大きくする仕様変更に対応することはできない構造である。
【特許文献１】特開２００３−１２６３３２号公報
【特許文献２】特開２００５−２１４４１号公報
【発明の開示】
【発明が解決しようとする課題】
【０００６】
本発明の目的は、演出表示器の液晶アセンブリの大きさの変更およびトップサイドアセンブリの変更に対し、ランプパネルの変更を不要にすることにより仕様変更する組み替えを低価格に、しかも短時間にでき、また従来の遊技機に比較し迫力ある演出を可能にする遊技機における演出表示器の取付構造を提供することにある。
【課題を解決するための手段】
【０００７】
前記目的を達成するために本発明の請求項１は、中央に遊技駆動部を収容する遊技機本体と、該遊技機本体の前面側に取り付けられる前面ドア部とからなり、該前面ドア部はその略中央部に前記遊技駆動部を視認する前面デザインパネルが配置され、かつ前記前面ドア部の上部に演出表示器が配置され、前記演出表示器はその中央に前面液晶パネルが、該前面液晶パネルの左右にスピーカが配置される構成の遊技機において、前記演出表示器の中央は、前記前面デザインパネル面に対し前面側に突出するように、かつ前記前面デザインパネル面の上部に一部重なるようにトップカバー部を配設して前記トップカバー内に背面側から前記前面液晶パネルを備えた液晶アセンブリを組み込んで構成し、前記演出表示器の中央の両側は、前記左右のスピーカをそれぞれ含む左右のトップサイドアセンブリを前面側から装着し、かつ前記前面デザインパネル面に対し前面側に突出させて固定することを特徴とする。
本発明の請求項２は請求項１記載の発明において前記トップカバー部に組み込まれる液晶アセンブリの下部は、前記前面デザインパネル面と重なるトップカバー部内に収容されることを特徴とする。
【発明の効果】
【０００８】
上記構成によればランプパネルの変更が不要となるため、筐体の仕様替えが低コストで容易に出来る。また、演出表示器が遊技者側に接近するため、従来の構造よりも迫力ある演出を提示することが出来る。演出表示器は奥行き方向の寸法に余裕が生じるため、バリエーションに富んだ演出が可能となる。
【発明を実施するための最良の形態】
【０００９】
以下、図面を参照して本発明の実施の形態を詳しく説明する。
図１は、本発明による演出表示器の取付構造を適用した遊技機の外観を示す図で、（ａ）は正面図，（ｂ）は上面図，（ｃ）は右側面図である。
遊技機１は本体部を構成するキャビネット１ｂと、キャビネット１ｂに枢着される前面ドア部１ａより構成されている。  
前面ドア部１ａの中央部には前面デザインパネル８が配置され、その上方に前面液晶パネル７が配置されている。前面液晶パネル７の両サイドにはスピーカや演出用ＬＥＤをアセンブリ化したトップサイドアセンブリ５（右），６（左）が配置されている。
【００１０】
前面デザインパネル８は複数のＬＥＤ，７ＳＥＧおよび冷陰極管で構成される演出用表示器を適宜配置するランプパネル２３（図２参照）に固定されている。
ランプパネル２３は前面ドア部１ａのベースの役目をするコントロールカバー３に固定されている。
前面デザインパネル８は透明体であって、図７に示すキャビネット１ｂ側に設けられた遊技駆動部である３つのスロットル部２４ａ，２４ｂおよび２４ｃが前面デザインパネル８を通して見ることができる。
【００１１】
前面デザインパネル８の下部の突出部上面の右側付近には１ベットをかけるためのボタン１２，２ベットをかけるためのボタン１３およびＭａｘのベットをかけるためのボタン１４が配置され、左側付近にはメダルを投入するためのメダル投入口１１が配置されている。前面デザインパネル８の下部の突出部の前面側の右側付近にはスロットルを回転させるためのスタートレバー１５が、中央部には３つのスロットル部をそれぞれ停止させるためのストップボタン１６が配置されている。
さらに前面ドア部１ａの最下部付近の中央には、スロットルが揃って当たりが発生したとき支払われるメダルの払出口１９が、その左右にはスピーカ１７，１８がそれぞれ配置されている。
【００１２】
図２は図１のＡ−Ａ断面図、図３は図２において液晶アセンブリの脱着を説明するための図である。
トップカバー４は前面デザインパネル８より前面側に突出し、かつその下部が前面デザインパネル８の上部に少し重なった状態でコントロールカバー３に取り付けられている。  このトップカバー４の中に液晶アセンブリ２１がユニットとして前面ドア部１ａの背面開口部より挿入して固定されるようになっている。
【００１３】
液晶アセンブリ２１は前面液晶パネル７と、前面液晶パネル７の背後に配置された液晶表示器２４と、液晶表示器２４の裏側に取り付けられた液晶制御基板２２とが一体となって構成されている。液晶アセンブリ２１の前面液晶パネル７の形状はその縦の寸法が液晶制御基板２２を取り付ける構造体の寸法より大きく、前面液晶パネル７の形状の下部は液晶制御基板２２の構造体より下方向に突出した状態で一体となっている。したがって、液晶表示器２４はそのまま取り付けることを想定すると、前面デザインパネルの上部と干渉し、取り付けることができない。
【００１４】
すなわち、前面ドア部１ａの液晶アセンブリを入れるための背面開口部のクリアランスをＬとすると、従来機ではこのＬ寸法よりも小さい寸法の液晶アセンブリをトップカバーへ取り付けなければならなかった。この形状から、より大きな液晶アセンブリを取り付けるにはＬ寸法を大きくしなければならず、そのためにランプパネルの形状変更を行なわなければならなかった。
【００１５】
しかしながら、本発明では前面ドア部１ａの背面開口部より図３に示すように傾けて液晶アセンブリ２１をトップカバー４内に入れ、液晶アセンブリ２１の下部を前面デザインパネル部８の前面側に形成されているトップカバー４の空間部４ａに導き、トップカバー４の空間部４ａの下面を支点として液晶アセンブリ２１の上部を回動させることにより、トップカバー４内に収容するようになっている。そのため上述のように液晶アセンブリの縦の寸法が大きくなるように仕様変更しても、前面デザインパネル８より遊技者側に突出させているトップカバー４内に収容することができる。
【００１６】
図４は図１のＢ−Ｂ断面図、図５は図４においてトップサイドアセンブリの脱着を説明するための図である。
上記前面液晶パネル７の両側に取り付けられるトップサイドアセンブリ５，６は、トップカバー４に前面側から装着することが可能である。
トップサイドアセンブリ５は、その枠５ａに多数の演出用ＬＥＤ５ｂとスピーカ９が取り付けられている。トップサイドアセンブリ６も同様な構成である。このトップサイドアセンブリ５，６も前面デザインパネル８より遊技者側に突出させた構造であるので、大きなスピーカの取り付けが可能になった。
また、トップサイドアセンブリは奥行き方向の寸法にも余裕が生じて空間部５ｃができるため、演出用ＬＥＤ５ｂの他にも様々な演出モジュールの搭載が可能になる。
【００１７】
図６は前面ドア部裏面の構造を示す図である。
前面ドア部１ａはその側縁にヒンジが設けられ、キャビネット１ｂに取り付けられており、ヒンジを支点に開けることができる。前面デザインパネル８は透明体で、キャビネット１ｂのスロットル部の窓となる。上部中央には液晶アセンブリ２１の背面が見えている。また、その左右にはトップサイドアセンブリ５，６のスピーカ９，１０の背面が見えている。
【００１８】
以上説明した実施の形態は、遊技機として中央の前面デザインパネルにスロットル部を配置した遊技機の例を説明したが、他の遊技機であってもこれと同様に中央部に遊技駆動部を配置した構造で、その上に前面液晶パネルを配置した液晶表示器を有するものであれば、同様の構造にすれば、同様の効果を得ることができる。
また、前面デザインパネルの形状が矩形状の例を説明したが、必ずしも矩形状である必要はなく、円形や曲線を用いた形状などであってもよい。
【産業上の利用可能性】
【００１９】
ゲームセンタや遊技施設などに設置される遊技スロットルマシンなどの遊技機である。
【図面の簡単な説明】
【００２０】
【図１】本発明による演出表示器の取付構造を適用した遊技機の外観を示す図で、（ａ）は正面図，（ｂ）は上面図，（ｃ）は右側面図である。
【図２】Ａ−Ａ断面図である。
【図３】図２において液晶アセンブリの脱着を説明するための図である。
【図４】Ｂ−Ｂ断面図である。
【図５】図４においてトップサイドアセンブリの脱着を説明するための図である。
【図６】ドア裏面の構造を示す図である。
【図７】本体内部の構造を示す図である。
【図８】従来の遊技機の液晶アセンブリ付近の断面図である。
【図９】従来の液晶アセンブリの脱着を説明するための図である。
【符号の説明】
【００２１】
１  遊技機  
１ｂ  キャビネット  
３  コントロールカバー  
４  トップカバー  
５  トップサイドアセンブリー（右）  
６  トップサイドアセンブリー（左）  
７  前面液晶パネル
８  前面デザインパネル
９，１０，１７，１８スピーカ
１１  メダル投入口
１２  １ベットボタン
１３  ２ベットボタン  
１４  ＭＡＸベットボタン  
１５  スタートレバー
１６  ストップボタン
１９  メダル払出口
２０  灰皿  
２１  液晶アセンブリ
２２  液晶制御基板
２３  ランプパネル
２４  液晶表示器
【図１】
2007301184.tif 000003
【図２】
2007301184.tif 000004
【図３】
2007301184.tif 000005
【図４】
2007301184.tif 000006
【図５】
2007301184.tif 000007
【図６】
2007301184.tif 000008
【図７】
2007301184.tif 000009
【図８】
2007301184.tif 000010
【図９】
2007301184.tif 000011